(57)【要約】【課題】排水口を塞ぐことなく安定して洗面器を置くことができて、且つ、通常の大きさのままで施工できて使い勝手の良い洗面ボウルを備えた洗面化粧台を提供する。【解決手段】洗面ボウル（２）の底部に、洗面器（４）を排水口（３）より上方に浮かせた状態でその排水口（３）を跨ぐように支持する台座（５）が設けられて、その洗面器（４）の下側に、洗面ボウル（２）内の排水が排水口（３）に向かって流れるための通路空間（８）が形成されるように構成されている。【選択図】　図１
2004044101.tif 000002
【特許請求の範囲】
【請求項１】
洗面ボウルの底部に、洗面器を排水口より上方に浮かせた状態でその排水口を跨ぐように支持する台座が設けられて、その洗面器の下側に、洗面ボウル内の排水が排水口に向かって流れるための通路空間が形成されるように構成されたことを特徴とする洗面化粧台。
【請求項２】
前記排水口は、前記洗面ボウルの平面から見た左右方向又は前後方向における底部のほぼ中央に設けられている請求項１記載の洗面化粧台。
【請求項３】
前記台座は、前記排水口を挟むようにして備えられた左右一対又は前後一対の台部からなっている請求項１又は２記載の洗面化粧台。
【請求項４】
前記台部は、洗面ボウルの一部が内側に膨出して形成されている請求項１乃至３のいずれかに記載の洗面化粧台。
【請求項５】
前記洗面ボウルは、前記台部を一体成形してなるステンレス成型品である請求項１乃至４のいずれかに記載の洗面化粧台。
【発明の詳細な説明】
【０００１】
【発明の属する技術分野】
この発明は、洗面ボウルを備えた洗面化粧台に関するものである。
【０００２】
【従来の技術】
一般的に、洗面化粧台の洗面ボウルにおいて、洗顔や洗髪等は、水栓を開放したまま行われている。従って、大量の水を無駄に消費することになり、省コスト及び省資源の観点から好ましくない現状となっている。また、水の消費量を少なくするために洗面ボウル内に水を溜めて洗顔等を行うことも考えられるが、洗面ボウルでは歯磨きや口すすぎ等も行われるので、不衛生であり、快適に使用することができない。
【０００３】
そこで、洗面化粧台において、水の消費量を少なくしつつ、衛生的で快適に洗顔等を行うために、洗面ボウル内に洗面器を置いて使用することが考えられる。
【０００４】
なお、特開平１１−１６９３０８号公報には、洗髪ボール２の開口部２ａの一側に平坦形状部２ｃを形成し、洗面器３を置けるようにした洗面化粧台６が記載されており、特開平９−３１３３６９号公報には、洗面器２７等を、その外周が洗面ボウル１１の一側１１ａの曲面に沿うように洗面ボウル１１内に置くことで、他側１１ｂに設けた排水口１５を塞がずに配置できる洗面台１０が記載されている。
【０００５】
【発明が解決しようとする課題】
洗面ボウル内で洗面器を用いて洗顔等を行う場合、洗面ボウルの底部に洗面器を載置すると、洗面器が傾いたり、横ずれしたりして、使い勝手が悪くなってしまう。また、洗面器が排水口を塞いでしまって、排水がつまったりすることがある。しかも、歯磨き等にも使用する洗面ボウルの底部に、直接洗面器を置くと衛生的とは言えず快適に使用することができない。
【０００６】
また、特開平１１−１６９３０８号公報、及び特開平９−３１３３６９号公報に記載された発明は、いずれも、洗面器３，２７を、排水口を塞ぐことなく安定して洗面ボウル２，１１内に置けるようになっているが、これらの洗面器３，２７は漬け置き洗いに用いるためのものである。
【０００７】
従って、漬け置き洗い用の洗面器３，２７を置いたまま、洗顔等の作業を行うために、洗面器３，２７の載置スペースを、排水口設置側の作業スペースを避けるようにして設ける必要があり、洗面ボウルのサイズを大きく設定せざるを得ない欠点がある。しかも、カランから供給する水が、洗面器３，２７の載置スペースと、作業スペースとのいずれにも届くようにするために、カランを回転式にしなければならず、場合によっては、その長さを通常より長くする必要があるため、施工性が悪くなってしまう。
【０００８】
また、仮に、上記公報の洗面器３，２７を洗顔等に使用するとしても、洗面器３，２７を作業スペースから離れた位置に置くことになり、使い勝手が悪くなってしまう。
【０００９】
そこで、この発明は、上記の不具合を解消して、排水口を塞ぐことなく安定して洗面器を置くことができて、且つ、通常の大きさのままで施工できて使い勝手の良い洗面ボウルを備えた洗面化粧台の提供を目的とする。
【００１０】
【課題を解決するための手段】
上記の課題を解決するため、この発明の洗面化粧台は、洗面ボウルの底部に、洗面器を排水口より上方に浮かせた状態でその排水口を跨ぐように支持する台座が設けられて、その洗面器の下側に、洗面ボウル内の排水が排水口に向かって流れるための通路空間が形成されるように構成されたことを特徴とする。
【００１１】
また、前記排水口は、前記洗面ボウルの平面から見た左右方向又は前後方向における底部のほぼ中央に設けられている。
【００１２】
さらに、前記台座は、前記排水口を挟むようにして備えられた左右一対又は前後一対の台部からなっている。
【００１３】
またさらに、前記台部は、洗面ボウルの一部が内側に膨出して形成されている。
【００１４】
そして、前記洗面ボウルは、前記台部を一体成形してなるステンレス成型品である。
【００１５】
なお、この明細書において、左右とは、洗面化粧台の手前側から奥側を見たときの左右をいうものとする。
【００１６】
また、上記以外に、この発明に関連した請求項として次のものが考えられる。
【００１７】
洗面ボウル内に載置される洗面器を収納する洗面器収納部を備え、この洗面器収納部用の排水管の下流側が、洗面ボウル用の排水管に対して、そのトラップの上流側において接続されていることを特徴とする洗面化粧台。
【００１８】
【発明の実施の形態】
以下、この発明の実施形態を図面に基づいて詳細に説明する。
【００１９】
洗面化粧台（１）は、洗面キャビネット（１７）の上部において洗面カウンター（１６）を備えており、この洗面カウンター（１６）は、上面平板状に形成されて、水平に配されている。
【００２０】
洗面カウンター（１６）の例えば平面から見たほぼ中央の位置には、洗面ボウル（２）が備えられており、この洗面ボウル（２）の底部において、例えば平面から見た左右方向におけるほぼ中央に、排水口（３）が設けられている。なお、排水口（３）は、洗面ボウル（２）の底部において、前後方向におけるほぼ中央に設けても良い。
【００２１】
洗面ボウル（２）は、平面形状がほぼ楕円状であり、その外縁部から排水口（３）に向かって下降しながらアール状に傾斜した形状となっている例えばステンレス成型品である。また、洗面ボウル（２）は、上端から水平方向の外側へ向けて折返し部（３０）が形成されている。そして、洗面カウンター（１６）には、予め洗面ボウル（２）の平面形状と同形状の開口部（１８）が設けられており、この開口部（１８）周りにおいて、洗面ボウル（２）の折返し部（３０）ｑ上面が、洗面カウンター（１６）の下面に固着されるようになっている。
【００２２】
ここで、洗面ボウル（２）はステンレス成型品であるため、プレス加工ができるので、生産加工コストを低減できる。また、ステンレス製であるので、軽量で破損しにくく、運搬や在庫管理がしやすくなっている。さらに、使用の際に洗面ボウル（２）に物を落としても割れにくいため、使い勝手が良くなっており、また、表面が滑らかで汚染物が付着しにくいため、清潔に使用することができ、清掃メンテナンスの管理も容易となっている。
【００２３】
そして、洗面ボウル（２）内には、洗面器（４）を排水口（３）より上方に浮かせた状態でその排水口（３）を跨ぐように支持する台座（５）が設けられているため、洗面器（４）を洗面ボウル（２）内に載置しても、排水口（３）を塞ぐことがなく、排水がつまることを防止できるようになっている。
【００２４】
この台座（５）は、排水口（３）を挟むようにして備えられた左右一対の台部（６）（６）からなっている。それぞれの台部（６）は、その上面が水平になるように、洗面ボウル（２）の一部が内側に膨出して一体成形されており、上面の高さは、他方の台部（６）と等しくなるようになっている。
【００２５】
これら台部（６）（６）間の間隔は、洗面器（４）の底面が跨って載置されるように設定されており、洗面器（４）を安定して支持できるようになっている。すなわち、洗面ボウル（２）の底部に直接洗面器（４）を置く場合のように、洗面器（４）が傾いたり、排水口（３）へ向かって流れる排水とともに流されたりすることがなく、使用性に優れている。
【００２６】
そして、洗面器（４）を排水口（３）の上方において支持できるようになっているので、従来の洗面ボウルと同様に、洗面ボウル（２）のほぼ中央で洗顔等を行うことができ、使い勝手が良くなっている。
【００２７】
しかも、歯磨きや口すすぎ等にも使用するため、衛生的とは言えない洗面ボウル（２）の底部に、直接洗面器（４）を載置しなくて済むので、衛生的、且つ、快適に使用することができる。
【００２８】
上記の構造により、洗面ボウル（２）のほぼ中央において、洗面器（４）を載置できるようにしているので、洗面ボウル（２）の大きさを通常より大きく設定する必要がなく、生産性の向上を図ることができるようになっている。場合によっては、洗面ボウル（２）を通常より小さく設定することができ、洗面化粧台（１）の間口を狭くして、スペースの有効利用を図ることができる。
【００２９】
また、洗面ボウル（２）を大きくする必要がないことから、カラン（７）を特別長く設定したり、必ずしも回転させたりする必要がないので、さらなる施工性の向上を図ることができる。
【００３０】
さらに、台部（６）（６）間には、これら台部（６）（６）に支持される洗面器（４）の下側において、洗面ボウル（２）内の排水が排水口（３）に向かって流れるための通路空間（８）が形成されるようになっている。従って、洗面ボウル（２）内の排水は、この通路空間（８）を通って、滞りなく排水口（３）へ流されるようになっている。
【００３１】
なお、台座（５）を構成する台部（６）（６）は、必ずしも左右一対になるように設ける必要はなく、複数の台部（６）（６）…が、洗面器（４）の底面が跨って載置されるように適宜間隔を空けて設けられるようにすれば良い。例えば、排水口（３）を挟むように前後一対の台部（６）（６）を設けて、台座（５）を構成することが考えられる。
【００３２】
さらには、上述した排水の通路空間（８）を確保した状態で、台部（６）（６）の一端同士を繋げて、一体に形成するようにして台座（５）を構成することもできる。
【００３３】
また、洗面キャビネット（１７）は、その左右両側面において、互いに対向する側板（２２）（２２）が垂直に備えられており、正面においては、その左端部から中央部にかけて両開き扉（２３）が設けられている。そして、洗面キャビネット（１７）内には、洗面ボウル（２）用の排水管（１４）が収容されており、また、洗剤類や備品等を収納できるようになっている。
【００３４】
さらに、洗面キャビネット（１７）の右端部には、その上部における洗面器収納部（１０）と、下部における引き出し収納部（２４）とが設けられており、これら洗面器収納部（１０）と引き出し収納部（２４）とは、水平に配された棚板（２０）によって上下に仕切られている。
【００３５】
ここで、洗面キャビネット（１７）は、正面における右端部から中央部にかけて両開き扉（２３）を設けて、洗面器収納部（１０）及び引き出し収納部（２４）を左端部に設けるようにしても良い。
【００３６】
そして、洗面器収納部（１０）の正面側には、片開き扉（２１）が設けられており、洗面器収納部（１０）内には、洗面ボウル（２）内に載置される洗面器（４）を収納することができるようになっている。従って、歯磨きや口すすぎを行うときなど洗面器（４）を使用しないときは、洗面器収納部（１０）内に収納することで、洗面器（４）が作業の邪魔にならないようにして、作業性の向上を図ることができるようになっている。
【００３７】
洗面器収納部（１０）内には、棚板（２０）上に洗面器用防水パン（１１）が取り付けられている。この防水パン（１１）は、例えば上面が開放した略箱形に形成されており、洗面器収納部（１０）の扉（２１）側における側面が、他の側面よりも低くなるように上部に切欠き部（２９）が設けられている。従って、洗面器（４）の出し入れが容易で使い勝手が良くなっている。
【００３８】
また、防水パン（１１）は、棚板（２０）の上面に設けられたレール（２８）（２８）に案内されて、前後方向に摺動自在となっている。従って、防水パン（１１）を手前側に引き出すことができ、洗面器（４）の出し入れがさらに容易となるようになっている。
【００３９】
そして、防水パン（１１）の底面には、排水口（１２）が設けられており、この排水口（１２）の下方において防水パン（１１）用の排水管（１３）が接続されているため、使用後の濡れた状態の洗面器（４）を収納する場合、洗面器（４）から垂れてくる水を排水できるようになっている。
【００４０】
防水パン（１１）用の排水管（１３）は、下流側の外管（２５）に、上流側の内管（２６）の下流端部が内嵌された二重構造であり、内管（２６）が外管に対して管軸方向に移動することで、伸縮自在となっている。また、内管（２６）は、その中間部（３１）が蛇腹状に形成されており、可撓性がもたらされている。
【００４１】
内管（２６）の上端は、棚板（２０）に形成された貫通孔（２７）内において、防水パン（１１）の底部に連結されている。ここで、貫通孔（２７）は、洗面化粧台（１）の正面から見て前後方向にスリット状又は長穴状に形成されており、この貫通孔（２７）に沿って、内管（２６）の上端が移動するようになっている。
【００４２】
このように、防水パン（１１）用の排水管（１３）は、伸縮自在であり、且つ、可撓性を有しているため、防水パン（１１）の前後方向における摺動に対して、容易に追従することができるようになっている。従って、防水パン（１１）を手前側に引き出すことによって、洗面器（４）の出し入れを容易に行うことができるようになっている。
【００４３】
なお、防水パン（１１）用の排水管（１３）は、洗面ボウル（２）用の排水管（１４）に対して、そのトラップ（１５）の上流側において接続されている。従って、防水パン（１１）用の排水管（１３）より臭気や虫が上がってくるのを防止でき、また、この排水管（１３）の途中にはトラップを設けなくてもいいようになっている。
【００４４】
また、この発明は、上記実施形態に限定されるものではなく、この発明の範囲内で上記実施形態に多くの修正及び変更を加え得ることは勿論である。
【００４５】
例えば、洗面ボウル（２）は、ステンレス製に限られず、例えば陶器製等であっても良い。また、洗面ボウル（２）の底部において、排水口（３）は、必ずしも左右方向におけるほぼ中央に配されなくとも一定の効果を奏するものである。
【００４６】
【発明の効果】
以上の説明から明らかなように、この発明では、洗面ボウルの底部に、洗面器を排水口より上方に浮かせた状態で排水口を跨ぐように支持する台座が備えられているため、排水口を塞ぐことなく、洗面器を洗面ボウル内に載置することができ、排水がつまることを防止できるようになっている。また、台座に支持される洗面器の下側に、排水口に向かって流れる排水の通路空間が形成されるように構成することで、より円滑に排水が行えるようにしているため、使い勝手が良くなっている。
【００４７】
また、洗面ボウルの底部に直接洗面器を置く場合のように、洗面器が傾いたり、排水口へ向かって流れる排水とともに流されたりすることがなく、安定して載置できるので、使用性に優れている。
【００４８】
さらに、台座は、排水口を挟むようにして備えられた左右一対又は前後一対の台部からなっている。よって、洗面器の底面をこれら台部間に跨って載置することで、排水口を塞がずに、排水の通路空間を確保しつつ、安定して洗面器を支持できるようになっている。そして、洗面ボウルの左右方向又は前後方向における底面のほぼ中央に設けられた排水口の上方において、洗面器を支持できるので、洗面ボウルのほぼ中央で洗顔等を行え、使い勝手が良くなっている。
【００４９】
しかも、洗面器の載置スペースを排水口から離れた位置に別途設ける必要がないため、スペースの有効利用を図ることができる。従って、洗面ボウルの大きさを通常より大きく設定する必要がなく、生産コストを低減できるようになっている。
【００５０】
このように、洗面ボウルを大きくする必要がないことから、特別長いカランを設置したり、必ずしもカランを回転させたりする必要がないので、さらなる施工性の向上を図ることができる。
【００５１】
またさらに、歯磨きや口すすぎ等にも使用するため、衛生的とは言えない洗面ボウルの底部に、直接洗面器を載置しなくて済むので、衛生的、且つ、快適に使用することができる。
【００５２】
そして、台部は洗面ボウルの一部が内側に膨出して形成されており、部材点数を増やす必要がないため、生産コストの低減化を図ることができるようになっている。
【００５３】
しかも、洗面ボウルをステンレス成型品とすることで、プレス加工が可能となるため、生産加工コストを極めて低くすることができる。また、ステンレス製であるので、軽量で破損しにくく、現場や工場等での組立及び取付工事が大変しやすくなっており、運搬や在庫管理も容易に行えるようになっている。さらに、使用の際に洗面ボウルに物を落としても割れにくいため、使い勝手が良く、また、表面が滑らかで汚染物が付着しにくいため、清潔に使用することができ、清掃メンテナンスの管理も容易となっている。
【図面の簡単な説明】
【図１】この発明の一実施形態に係る洗面化粧台を示す斜視図である。
【図２】同じくその平面図である。
【図３】同じくその断面図である。
【図４】同じくその断面図である。
【図５】防水パンと排水管との連結部分を示す部分拡大断面図である。
【符号の説明】
（１）　洗面化粧台
（２）　洗面ボウル
（３）　排水口
（４）　洗面器
（５）　台座
（６）　台部
（８）　通路空間
【図１】
2004044101.tif 000003
【図２】
2004044101.tif 000004
【図３】
2004044101.tif 000005
【図４】
2004044101.tif 000006
【図５】
2004044101.tif 000007